(57)【要約】【課題】  大人と子供のように使用者の体格差が大きく異なる場合、あるいは妊婦や高齢者のように深く座ると立ち上がるのに苦労する場合、大人と子供が並んで座る場合などのように、使用シーンに応じて形態を変化させることが可能であるとともに、スペースの有効利用が図れるソファーを提供する。【解決手段】  脚部１に固定した座部２の後部上位に、背凭れ部３を偏心位置で前後回動可能に設けるとともに、背凭れ部を立起させた第１姿勢と、背凭れ部を前側に倒した第２姿勢をとることが可能であり、第１姿勢では座部の実効奥行幅が広く、第２姿勢では座部の実効奥行幅が狭く且つ背凭れ部の上部が略水平な載置面９となる。座部の後部と背凭れ部の下端との間に、背凭れ部の姿勢に依らず常に一定の空間Ｓを有する。【選択図】        図１
2015019709.tif 000002
【特許請求の範囲】
【請求項１】
脚部に固定した座部の後部上位に、背凭れ部を偏心位置で前後回動可能に設けるとともに、該背凭れ部を立起させた第１姿勢と、該背凭れ部を前側に倒した第２姿勢をとることが可能であり、第１姿勢では座部の実効奥行幅が広く、第２姿勢では座部の実効奥行幅が狭く且つ背凭れ部の上部が略水平な載置面となることを特徴とするソファー。
【請求項２】
前記座部の後部と背凭れ部の下端との間に、該背凭れ部の姿勢に依らず常に一定の空間を有してなる請求項１記載のソファー。
【請求項３】
第１姿勢の前記背凭れ部における背凭れ面と第２姿勢の前記背凭れ部における背凭れ面がそれぞれ同じ角度で若干後傾姿勢にされている請求項１又は２記載のソファー。
【請求項４】
前記背凭れ部を左右に分割し、各分割背凭れ部が独立して第１姿勢と第２姿勢をとることが可能である請求項１〜３何れか１項に記載のソファー。
【請求項５】
横幅が一人掛けの基準幅の座部及び背凭れ部を有するとともに、該背凭れ部が第１姿勢と第２姿勢をとることが可能な１単位ソファーと、基準幅の１．５倍幅の座部及び基準幅の１倍幅の主背凭れ部と基準幅の０．５倍幅の副背凭れ部とを左右に並設し、主背凭れ部と副背凭れ部が独立して第１姿勢と第２姿勢をとることが可能な１．５単位ソファーと、からなる請求項１〜３何れか１項に記載のソファー。
【請求項６】
前記１．５単位ソファーの副背凭れ部を設けた側には、前記１単位ソファー若しくは前記１．５単位ソファーの主背凭れ部を設けた側を近接配置してなる請求項５記載のソファー。
【発明の詳細な説明】
【技術分野】
【０００１】
本発明は、ソファーに係わり、更に詳しくは使用シーンに応じて形態を変化させるソファーに関するものである。
【背景技術】
【０００２】
従来から応接間や待合室、ロビーといった場所に、それぞれ最適な形態のソファーが設置されている。また、使用シーンに応じて形態を変化させることが可能なソファーも各種提供されている。
【０００３】
例えば、特許文献１には、座部を前後スライド移動可能とし、座部の後部を背凭れ部の下方に設けた収容空間に侵入させて、座部の奥行幅を変更できるソファーが開示されている。このソファーは、座部の後部を背凭れ部下方に押し込んだ通常の使用状態では、座部が極端に前方へ突出することがないので、通常の着座姿勢をとることができ、また座部を引き出せば奥行幅が広くなるので、座部の上で胡座をかいたり、横になったりする姿勢を余裕でとることができる。また、横方向に長い背凭れ部を有するとともに、座部を左右に分割し、分割座部をそれぞれ前後スライド移動できる構造としたソファーも開示されている。
【０００４】
また、特許文献２には、背凭れ部と座部を左右に分割し、それぞれ背凭れ部と座部が連動して姿勢を変化させることが可能なソファーが開示されている。つまり、背凭れ部の前後傾動動作に連動して座部が前後移動する構造のソファーであり、左右に座る使用者の好みに応じて背凭れ部と座部の姿勢を変化させることができるのである。
【０００５】
しかし、何れのソファーも大人と子供のように使用者の体格差が大きく異なる場合、あるいは妊婦や高齢者のように深く座ると立ち上がるのに苦労する場合、大人と子供が並んで座る場合などのように、使用シーンに応じて形態を変化させるものではない。
【０００６】
また、待合室やロビー等のように多数の利用者がいる場所には、三人掛けの横幅を有するソファーを設置している場合が多い。しかし、人間の行動心理的に他人と接近して並んで座ることに抵抗感があるため、通常はソファーの両端に座って二人掛けとなることが多い。また、知り合い同士の二人が座る場合には、ソファーの一側に寄って並んで座り、反対側は空いていることが通常である。そして、一人分だけ空いているファーに後で座るには抵抗感がある。また、体格が通常よりも大きな使用者が一人座ると、物理的にあと二人座ることは不可能である。このように、三人掛けのソファーであっても事実上、二人掛けのソファーになっていることが殆どである。これではスペースの有効利用が図れない。
【先行技術文献】
【特許文献】
【０００７】
【特許文献１】特開２００２−２３８７００号公報
【特許文献２】特開２００１−３１４２８１号公報
【発明の概要】
【発明が解決しようとする課題】
【０００８】
そこで、本発明が前述の状況に鑑み、解決しようとするところは、大人と子供のように使用者の体格差が大きく異なる場合、あるいは妊婦や高齢者のように深く座ると立ち上がるのに苦労する場合、大人と子供が並んで座る場合などのように、使用シーンに応じて形態を変化させることが可能であるとともに、スペースの有効利用が図れるソファーを提供する点にある。
【課題を解決するための手段】
【０００９】
本発明は、前述の課題解決のために、脚部に固定した座部の後部上位に、背凭れ部を偏心位置で前後回動可能に設けるとともに、該背凭れ部を立起させた第１姿勢と、該背凭れ部を前側に倒した第２姿勢をとることが可能であり、第１姿勢では座部の実効奥行幅が広く、第２姿勢では座部の実効奥行幅が狭く且つ背凭れ部の上部が略水平な載置面となることを特徴とするソファーを構成した（請求項１）。
【００１０】
ここで、前記座部の後部と背凭れ部の下端との間に、該背凭れ部の姿勢に依らず常に一定の空間を有してなることが好ましい（請求項２）。
【００１１】
また、第１姿勢の前記背凭れ部における背凭れ面と第２姿勢の前記背凭れ部における背凭れ面がそれぞれ同じ角度で若干後傾姿勢にされていることがより好ましい（請求項３）。
【００１２】
更に、前記背凭れ部を左右に分割し、各分割背凭れ部が独立して第１姿勢と第２姿勢をとることが可能であることがより好ましい（請求項４）。
【００１３】
そして、本発明のソファーは、横幅が一人掛けの基準幅の座部及び背凭れ部を有するとともに、該背凭れ部が第１姿勢と第２姿勢をとることが可能な１単位ソファーと、基準幅の１．５倍幅の座部及び基準幅の１倍幅の主背凭れ部と基準幅の０．５倍幅の副背凭れ部とを左右に並設し、主背凭れ部と副背凭れ部が独立して第１姿勢と第２姿勢をとることが可能な１．５単位ソファーと、からなることがより好ましい（請求項５）。
【００１４】
この場合、前記１．５単位ソファーの副背凭れ部を設けた側には、前記１単位ソファー若しくは前記１．５単位ソファーの主背凭れ部を設けた側を近接配置してなるのである（請求項６）。
【発明の効果】
【００１５】
以上にしてなる請求項１に係る発明のソファーは、脚部に固定した座部の後部上位に、背凭れ部を偏心位置で前後回動可能に設けるとともに、該背凭れ部を立起させた第１姿勢と、該背凭れ部を前側に倒した第２姿勢をとることが可能であり、第１姿勢では座部の実効奥行幅が広く、第２姿勢では座部の実効奥行幅が狭く且つ背凭れ部の上部が略水平な載置面となるので、前記背凭れ部が第１姿勢のときには、通常の体格の大人が通常の姿勢で座ることができ、また記背凭れ部が第２姿勢のときには、妊婦や高齢者が浅く座っても背凭れ部で腰を支持した状態で安定に座ることができ、また浅く座っているので立ち上がるときに体重を前方へ移動させて容易に立ち上がることができ、更に子供も通常の姿勢で安定に座ることができる。更に、記背凭れ部が第２姿勢のときには、背凭れ部の上部が略水平な載置面となるので、この部分に鞄やバッグ等の荷物を置くことができ、またその隣に座った利用者の肘を掛ける袖として利用することができる。
【００１６】
請求項２によれば、前記座部の後部と背凭れ部の下端との間に、該背凭れ部の姿勢に依らず常に一定の空間を有してなるので、背凭れ部を前側に倒した第２姿勢をとったときにも座面から浮いた位置に背凭れ部が位置して着座者の腰部を支持することができ、更に背凭れ部の回転動作の際に、座面に擦れて生地が痛むことがなく、また摩擦による抵抗とならない。
【００１７】
請求項３によれば、第１姿勢の前記背凭れ部における背凭れ面と第２姿勢の前記背凭れ部における背凭れ面がそれぞれ同じ角度で若干後傾姿勢にされているので、何れの姿勢でも背凭れ部の背凭れ面で着座者の背中若しくは腰部を安定に支持することができる。
【００１８】
請求項４によれば、前記背凭れ部を左右に分割し、各分割背凭れ部が独立して第１姿勢と第２姿勢をとることが可能であるので、それぞれの背凭れ部を利用者に合った姿勢に設定でき、体格が大きく異なる利用者が左右に座る場合に、例えば親子で並んで座る場合には一方の背凭れ部を第１姿勢、他方を第２姿勢にしたり、妊婦と子供が並んで座る場合には両方の背凭れ部を第２姿勢にする等を選択できる。
【００１９】
請求項５によれば、横幅が一人掛けの基準幅の座部及び背凭れ部を有するとともに、該背凭れ部が第１姿勢と第２姿勢をとることが可能な１単位ソファーと、基準幅の１．５倍幅の座部及び基準幅の１倍幅の主背凭れ部と基準幅の０．５倍幅の副背凭れ部とを左右に並設し、主背凭れ部と副背凭れ部が独立して第１姿勢と第２姿勢をとることが可能な１．５単位ソファーとからなるので、基本構成が２．５人掛けとなり、多くの場合で要望を満たすことができ、設置スペースの有効利用が図れ、また親子連れの場合にも０．５倍幅の副背凭れ部を第２姿勢にすれば、そこに子供が座ることができるので、効率良く座ることができるばかりでなく、１．５単位ソファーの０．５倍幅の副背凭れ部とそれと隣接する１倍幅の主背凭れ部、あるいは隣接する１単位ソファーの背凭れ部を第１姿勢とすることにより、１，５倍幅の着座スペースを確保することができ、体格の特に大きな利用者も余裕を持って座ることができる。勿論、２．５人掛けソファーであっても、全ての背凭れ部を第１姿勢にして、気心が知れた大人三人が並んで座ることも可能である。
【００２０】
請求項６によれば、前記１．５単位ソファーの副背凭れ部を設けた側には、前記１単位ソファー若しくは前記１．５単位ソファーの主背凭れ部を設けた側を近接配置してなるので、第２姿勢の副背凭れ部の両側の座った利用者が、該副背凭れ部の略水平な載置面となっている上部を肘掛けとして利用したり、荷物を置いたりすることができる。
【図面の簡単な説明】
【００２１】
【図１】本発明に係るソファーを示し、背凭れ部の第１姿勢を実線で、第２姿勢を想像線で示したソファーの側面図である。
【図２】背凭れ部を第２姿勢に設定したソファーを示し、（ａ）は妊婦が浅く座って背凭れ部で腰部を支持した状態の簡略側面図、（ｂ）は子供が座って背凭れ部で腰部を支持した状態の簡略側面図である。
【図３】１単位ソファーと１．５単位ソファーとを組み合わせたソファーを示し、（ａ）は全ての背凭れ部が第１姿勢の場合のソファーの斜視図、（ｂ）は全ての背凭れ部が第２姿勢の場合のソファーの斜視図である。
【図４】同じく１単位ソファーと１．５単位ソファーとを組み合わせたソファーを示し、（ａ）は１．５単位ソファーの主背凭れ部と１単位ソファーの背凭れ部が第１姿勢、１．５単位ソファーの副背凭れ部が第２姿勢の場合のソファーの斜視図、（ｂ）は１．５単位ソファーの主背凭れ部と１単位ソファーの背凭れ部が第２姿勢、１．５単位ソファーの副背凭れ部が第１姿勢の場合のソファーの斜視図である。
【図５】袖付きの１単位ソファーを示し、（ａ）は背凭れ部が第１姿勢のソファーの斜視図、（ｂ）は背凭れ部が第２姿勢のソファーの斜視図である。
【図６】袖無しの１単位ソファーを示し、（ａ）は背凭れ部が第１姿勢のソファーの斜視図、（ｂ）は背凭れ部が第２姿勢のソファーの斜視図である。
【図７】袖付きの１．５単位ソファーを示し、（ａ）は主背凭れ部と副背凭れ部が第１姿勢のソファーの斜視図、（ｂ）は主背凭れ部が第２姿勢と副背凭れ部が第１姿勢のソファーの斜視図である。
【図８】袖付きの１．５単位ソファーを示し、（ａ）は主背凭れ部と副背凭れ部が第２姿勢のソファーの斜視図、（ｂ）は主背凭れ部が第１姿勢と副背凭れ部が第２姿勢のソファーの斜視図である。
【発明を実施するための形態】
【００２２】
次に、添付図面に示した実施形態に基づき、本発明を更に詳細に説明する。図１及び図２は本発明に係るソファーを示し、図３及び図４は本発明のソファーの代表的な実施形態を示し、図５及び図６は１単位ソファーを示し、図７及び図８は１．５単位ソファーを示し、図中符号Ａは１単位ソファー、Ｂは１．５単位ソファー、１は脚部、２は座部、３は背凭れ部、４は袖部をそれぞれ示している。
【００２３】
本発明のソファーは、図１に示すように、脚部１に固定した座部２の後部上位に、背凭れ部３を偏心位置で前後回動可能に設けるとともに、該背凭れ部３を立起させた第１姿勢と、該背凭れ部３を前側に倒した第２姿勢をとることが可能であり、第１姿勢では座部２の実効奥行幅が広く、第２姿勢では座部２の実効奥行幅が狭く且つ背凭れ部３の上部が略水平な載置面となるものであり、前記座部２の後部と背凭れ部３の下端との間に、該背凭れ部３の姿勢に依らず常に一定の空間Ｓを有してなるものである。図１において、前記背凭れ部３の第１姿勢を実線で、第２姿勢を想像線で示している。
【００２４】
本発明に係るソファーは、座部２の両側前部を脚部１を構成する前脚杆１Ａ，１Ａで支持するとともに、両側後部を後脚杆１Ｂ，１Ｂで支持し、前記後脚杆１Ｂ，１Ｂの上部は前記座部２の座面より上方へ延びて支持杆５となり、該支持杆５の上端部に受け部材６を固定し、両側の受け部材６，６で背凭れ部３の両側が偏心位置で回動可能に支持されている。また、座部２の側部に袖部４を設けた場合には、前記受け部材６は該袖部４の後部が受け部６Ａとなってその機能を有する。この場合、前記支持杆５の上端部に肘掛け機能を有する袖部４の後部が固定されている。
【００２５】
図１中、Ｐは前記背凭れ部３の回転中心を示している。前記背凭れ部３は、側面視において略長方形状であり、その一側部を回転中心Ｐとして前後方向の回動するようになっている。図１の実線は背凭れ部３の第１姿勢を示し、この姿勢で背凭れ部３は回転中心Ｐより上方へ延びやや後傾した形状となっている。図中符号７は第１姿勢における背凭れ面であり、符号８は第１姿勢では上面部となるが第２姿勢における背凭れ面であり、後面側の符号９は第２姿勢では上面となる略水平な載置面である。ここで、第１姿勢の前記背凭れ部３における背凭れ面７と第２姿勢の前記背凭れ部３における背凭れ面８がそれぞれ同じ角度で若干後傾姿勢にされ、着座時に背中や腰部を安定に支持できるようにしている。
【００２６】
前記背凭れ部３を偏心位置で前後回動可能に設けるとは、図１において回転中心Ｐから背凭れ面７までの距離より、背凭れ面８までの距離が長いことを意味している。つまり、前記背凭れ部３が第１姿勢のときの背凭れ面７より、第２姿勢のときの背凭れ面８の位置が、回転中心Ｐを基準としてより前方にせり出すのである。それにより、前記背凭れ部３が第１姿勢では座部２の実効奥行幅が広く、第２姿勢では座部２の実効奥行幅が狭くなるのである。また、前記座部２の後部と背凭れ部３の下端との間に、該背凭れ部３の姿勢に依らず常に一定の空間Ｓを有しているので、図２に示すように、前記背凭れ部３が第２姿勢をとったときにも、座面から十分に高い位置で着座者を支持でき、体格の大きい着座者の腰部を支持することができ、また体格の小さい着座者の背中を支持することができるのである。尚、図２中の符号Ｈ１は妊婦、Ｈ２は子供を示している。
【００２７】
更に詳しくは、本発明のソファーは、横幅が一人掛けの基準幅の座部２及び背凭れ部３を有するとともに、該背凭れ部３が第１姿勢と第２姿勢をとることが可能な１単位ソファーＡと、基準幅の１．５倍幅の座部２及び基準幅の１倍幅の主背凭れ部３Ａと基準幅の０．５倍幅の副背凭れ部３Ｂとを左右に並設し、主背凭れ部３Ａと副背凭れ部３Ｂが独立して第１姿勢と第２姿勢をとることが可能な１．５単位ソファーＢとから構成している。１単位ソファーＡは、図４及び図６に示し、１．５単位ソファーＢは、図７及び図８に示している。そして、それらを組み合わせた２．５人掛けのソファーを図３及び図４に示している。
【００２８】
１単位ソファーＡは、図５に示すように、座部２の一側（本実施形態では左側）に袖部４を設け、座部２の他側（本実施形態では右側）に前記受け部材６を設け、前記袖部４の後部の受け部６Ａと受け部材６との間に背凭れ部３を前後回動可能に支持したものである。前記受け部材６は、前記背凭れ部３の側部の一部に形成した凹部１０を埋めるように設けられ、外観的に背凭れ部３と一体化する。勿論、図６に示すように、袖部４が無い１単位ソファーＡでは、両側の支持杆５，５に受け部材６，６を固定し、両受け部材６，６の間に背凭れ部３を前後回動可能に支持する。図５（ａ）及び図６（ａ）は、背凭れ部３が第１姿勢をとり座部２の実効奥行幅が広い通常の使用形態のソファーを示し、図５（ｂ）及び図６（ｂ）は、背凭れ部３が第２姿勢をとり座部２の実効奥行幅が狭い形態のソファーを示している。
【００２９】
１．５単位ソファーＢは、図７に示すように、座部２の一側（本実施形態では右側）に袖部４を設け、座部２の他側（本実施形態では左側）に前記受け部材６を設け、前記袖部４の後部の受け部６Ａと受け部材６との間に、右側に主背凭れ部３Ａ、左側に副背凭れ部３Ｂをそれぞれ独立して前後回動可能に支持したものである。前記受け部材６は、前記副背凭れ部３Ｂの側部の一部に形成した凹部１０を埋めるように設けられ、外観的に背凭れ部３Ｂと一体化する。前記主背凭れ部３Ａと副背凭れ部３Ｂは、縦断面形状が同じものであり、隙間無く左右に配置されている。勿論、１．５単位ソファーＢも袖部４が無く、両側に受け部材６，６を設け、主背凭れ部３Ａと副背凭れ部３Ｂを回動可能に支持する構造のものも可能である。１．５単位ソファーＢにおいて、図７（ａ）は、主背凭れ部３Ａと副背凭れ部３Ｂが第１姿勢の場合、図７（ｂ）は主背凭れ部３Ａが第２姿勢と副背凭れ部３Ｂが第１姿勢の場合、図８（ａ）は主背凭れ部３Ａと副背凭れ部３Ｂが第２姿勢の場合、図８（ｂ）は主背凭れ部３Ａが第１姿勢と副背凭れ部３Ｂが第２姿勢の場合をそれぞれ示している。
【００３０】
そして、図３及び図４には、前述の１単位ソファーＡと１．５単位ソファーＢを、両側に袖部４，４が来るように左右に近接配置して構成した本発明のソファーを示している。この場合、ソファーの中央部に１．５単位ソファーＢの副背凭れ部３Ｂが位置し、その右側に１．５単位ソファーＢの主背凭れ部３Ａ、左側に１単位ソファーＡの背凭れ部３が位置して、２．５人掛けのソファーとなっている。
【００３１】
更に、１単位ソファーＡと、複数の１．５単位ソファーＢ，…とを組み合わせて、３．５人掛け、４．５人掛けのようなソファーを構成することも可能である。その場合には、中間に位置する１．５単位ソファーＢは袖部４が無いタイプのものを用い、前記１．５単位ソファーＢの副背凭れ部３Ｂを設けた側には、前記１単位ソファーＡ若しくは前記１．５単位ソファーＢの主背凭れ部３Ａを設けた側を近接配置したものとなり、背凭れ部３と主背凭れ部３Ａの間、主背凭れ部３Ａ，３Ａの間に副背凭れ部３Ｂが位置するようになる。ここで、前記背凭れ部３、主背凭れ部３Ａ及び副背凭れ部３Ｂの背凭れ面７と背凭れ面８及び載置面９の関係は前記同様である。
【００３２】
本発明の１単位ソファーＡと１．５単位ソファーＢとを組み合わせたソファーの様々な使用形態を図３及び図４に示している。図３（ａ）は全ての背凭れ部３、主背凭れ部３Ａ、副背凭れ部３Ｂが第１姿勢の場合、図３（ｂ）は全ての背凭れ部３、主背凭れ部３Ａ、副背凭れ部３Ｂが第２姿勢の場合、図４（ａ）は１．５単位ソファーＢの主背凭れ部３Ａと１単位ソファーＡの背凭れ部３が第１姿勢、１．５単位ソファーＢの副背凭れ部３Ｂが第２姿勢の場合、図４（ｂ）は１．５単位ソファーＢの主背凭れ部３Ａと１単位ソファーＡの背凭れ部３が第２姿勢、１．５単位ソファーＢの副背凭れ部３Ｂが第１姿勢の場合をそれぞれ示している。
【００３３】
図３（ａ）に示したソファーの形態は、最も普通のタイプであり、図３（ｂ）に示したソファーの形態は、座部２の実効奥行幅が狭い妊婦、高齢者、子供用に適したタイプで、後部に荷物を置くことができる載置面９が広く確保されている。また、図４（ａ）に示したソファーの形態は、本発明の特徴が最も良く表れたタイプであり、中央部の副背凭れ部３Ｂが第２姿勢となっており、該副背凭れ部３Ｂで左右の座部２，２を独立したものとし、バスケット状となった座部２に安定に座ることができ、また副背凭れ部３Ｂの前方に子供が座って背中を副背凭れ部３Ｂの背凭れ面８で支持できる。また、第２姿勢の副背凭れ部３Ｂの載置面９を荷物置きとして利用することができ、子供が座らない場合には、副背凭れ部３Ｂの左右の座部２に座った利用者が載置面９を肘掛けとして、あるいは荷物置きとして利用することができる。
【００３４】
図６に示すように、袖部４を設けずに、背凭れ部３を両側に設けた受け部材６，６で回転可能に支持する構造のソファーを基本構成とし、その両側又は片側に、単に肘掛けの機能のみを有する袖部を追加して設ける構造とすることも実用上好ましい。つまり、前記１単位ソファーＡと１．５単位ソファーＢともに袖部６を設けないソファーを基本形とし、端部に位置するソファーの外側に袖部を後付けできる構造とするのである。この場合、１単位ソファーＡの前記背凭れ部３や、１．５単位ソファーＢの主背凭れ部３Ａと副背凭れ部３Ｂは、両側を前記受け部材６，６で回転支持する共通機構を備える。また、第２姿勢の背凭れ部３、主背凭れ部３Ａ及び副背凭れ部３Ｂは、載置面９の高さが前記袖部４の高さと略一致させている。
【符号の説明】
【００３５】
Ａ  １単位ソファー、
Ｂ  １．５単位ソファー、
Ｓ  空間、
Ｐ  回転中心、
Ｈ１  妊婦、
Ｈ２  子供、
１  脚部、
１Ａ  前脚杆、
１Ｂ  後脚杆、
２  座部、
３  背凭れ部、
３Ａ  主背凭れ部、
３Ｂ  副背凭れ部、
４  袖部、
５  支持杆、
６  受け部材、
６Ａ  受け部、
７  第１姿勢の背凭れ面、
８  第２姿勢の背凭れ面、
９  載置面、
１０  凹部。
【図１】
2015019709.tif 000003
【図２】
2015019709.tif 000004
【図３】
2015019709.tif 000005
【図４】
2015019709.tif 000006
【図５】
2015019709.tif 000007
【図６】
2015019709.tif 000008
【図７】
2015019709.tif 000009
【図８】
2015019709.tif 000010